(57)【特許請求の範囲】
【請求項１】
中央上部に具備され、回転部及び前記回転部の下部に具備される２つのローラを含むスラッジ供給部と、
前記スラッジ供給部の下部に具備されてスラッジが投入され、軸に沿って回転する円筒状の内周面に片方の極性の直流電源が印加されるドラムと、
前記ドラムと一定の間隔を置いて無限軌道で運行され、他方の極性の直流電源が印加される電源印加部、前記電源印加部の下部に具備されるろ布、前記ろ布の下部に具備されて複数個の穴が開かれるキャタピラ（登録商標）、前記ろ布とキャタピラの間に具備されて前記キャタピラの間にすり抜けるスラッジを防ぐビニル部及び前記キャタピラの下部に具備されるチェーンを含むキャタピラ部と、
前記キャタピラ部の間の空間に具備され、前記チェーンと接して前記キャタピラ部を運行させる複数個のアイドルスプロケット（Ｉｄｌｅ  Ｓｐｒｏｋｅｔ）部と、を含むことを特徴とする電気浸透脱水機。
【請求項２】
前記キャタピラ部は、
前記電源印加部の上部に突出されるように前記キャタピラに固定され、前記ドラムとのショートを防止するプラスチックボルトと、
前記キャタピラに具備され、前記ドラムとキャタピラ部の間にスラッジがすり抜けないように前記キャタピラに流動性を与える弾性体と、を更に含むことを特徴とする請求項１に記載の電気浸透脱水機。
【請求項３】
前記アイドルスプロケット部は、
予備脱水が行われるように第２アイドルスプロケットが前記ドラムと一定間隔で離れるように具備されることを特徴とする請求項１に記載の電気浸透脱水機。
【請求項４】
最後のアイドルスプロケット側に具備され、前記キャタピラのスラッジを払うブラシ部と、
前記ブラシ部の下部に具備され、脱水が完了されたスラッジを集めて排出するスクリューコンベヤ部と、
前記ブラシ部の反対側に具備され、前記キャタピラ部に水を噴射して洗浄する洗浄部と、を更に含むことを特徴とする請求項１に記載の電気浸透脱水機。
【発明の詳細な説明】
【技術分野】
【０００１】
本発明はドラム式電気浸透脱水機に関するものであり、更に詳しくは、正極と負極間の狭い間隔で所要電気が節減されるドラム式電気浸透脱水機に関するものである。
【背景技術】
【０００２】
一般的に、電気浸透脱水機は、スラッジと結合された水を電気泳動性で除去するための電場を形成させるために直流電源が印加され、その電圧差によってスラッジの含水を脱水させる装置である。
【０００３】
このような電気泳動式電気浸透脱水機は、「電気浸透脱水機（特許文献１）」、「位相制御型電気脱水機（特許文献２）」、「電気浸透脱水機（特許文献３）」、「三相交流電源を利用した位相制御型電気泳動式電気浸透脱水機（特許文献４）」と、本発明の出願人が先出願した「通電性が向上された電気泳動式電気浸透脱水機のドラム装置（特許文献５）」、「電気泳動式電気浸透脱水機の洗浄装置（特許文献６）」及び「三相交流電源を利用した位相制御型電気泳動式電気浸透脱水機のデジタル制御回路及びそのシステム（特許文献７）」などに記載されて周知されたように、その構造は大きく正極（＋）又は負極（−）が印加されたドラム、ドラムと一定空間部を置いて設置され、全体に負極（−）又は正極（＋）が印加されたキャタピラ（登録商標）、ドラムとキャタピラの間にスラッジの移送及び脱水のために巻き取られたろ布ベルトなどで構成される。
【０００４】
従来の電気浸透脱水機はドラムとキャタピラの間に一定の純粋直流電圧が印加されて電場が形成され、電場の中で帯電された液体スラッジ粒子周囲の水が電気泳動と毛細管現象によってスラッジ粒子が帯びている電荷と反対電極の方に移動し、水分が分離されて除去される。
【０００５】
即ち、スラッジ粒子は（−）表面電荷を帯びるためスラッジに電場を形成させるとスラッジ粒子は（＋）極に移動し、スラッジ粒子層内の水分は（−）極に移動して脱水が促進される。
【０００６】
このような従来の電気浸透脱水機は正極と負極、即ち、ドラムとキャタピラの間に間隔が保持されるべきであるが、電気浸透脱水機は正極と負極間の間隔にその効率が左右される。ところが、従来の電気浸透脱水機は正極と負極の間にろ布が位置して通電を妨げ、正極と負極間の間隔を遠くする問題点がある。
【０００７】
そして、ろ布は消耗品であり、6ヶ月乃至9ヶ月使用すると新しい製品に代替しなければならない問題点がある。
【先行技術文献】
【特許文献】
【０００８】
【特許文献１】大韓民国出願番号１０−２００４−７７５９
【特許文献２】大韓民国出願番号１０−２００５−９９２８
【特許文献３】大韓民国出願番号１０−２００７−４６４９４
【特許文献４】大韓民国出願番号１０−２００８−４４９０１
【特許文献５】大韓民国出願番号１０−２０１０−１３５１８３
【特許文献６】大韓民国出願番号１０−２０１０−１３５１８５
【特許文献７】大韓民国出願番号１０−２０１０−１３５１８８
【発明の概要】
【発明が解決しようとする課題】
【０００９】
本発明は、上述したような問題点を解決するために提案されたものであり、その目的は正極と負極間の間隔を狭くして電気を節減し得る電気浸透脱水機を提供することにある。
【００１０】
本発明の他の目的は、正極と負極の間に具備されたろ布を除去して正極と負極間の間隔を狭くすることができ、通電を妨げていた要素を除去し得る電気浸透脱水機を提供することにある。
【００１１】
本発明のまた他の目的は、消耗品としてのろ布が除去されることでコストを節減し得る電気浸透脱水機を提供することにある。
【００１２】
本発明の更に他の目的は、流動性スラッジの漏れなく円滑な脱水作業が行われる電気浸透脱水機を提供することにある。
【課題を解決するための手段】
【００１３】
上述した目的を達成するための本発明による電気浸透脱水機は、中央上部に具備され、回転部及び前記回転部の下部に具備される２つのローラを含むスラッジ供給部と、前記スラッジ供給部の下部に具備されてスラッジが投入され、軸に沿って回転する円筒状の内周面に片方の極性の直流電源が印加されるドラムと、前記ドラムと一定の間隔を置いて無限軌道で運行され、他方の極性の直流電源が印加される電源印加部、前記電源印加部の下部に具備されるろ布、前記ろ布下部に具備されて複数個の穴が開かれるキャタピラ、前記ろ布とキャタピラの間に具備されて前記キャタピラの間にすり抜けるスラッジを防ぐビニル部及び前記キャタピラの下部に具備されるチェーンを含むキャタピラ部と、前記キャタピラ部の間の空間に具備され、前記チェーンと接して前記キャタピラ部を運行させる複数個のアイドルスプロケット（Ｉｄｌｅ  Ｓｐｒｏｃｋｅｔ）部と、を含む。
【００１４】
そして、本発明による電気浸透脱水機の前記キャタピラ部は、前記電源印加部の上部に突出されるように前記キャタピラに固定され、前記ドラムとのショートを防止するプラスチックボルトと、前記キャタピラに具備され、前記ドラムとキャタピラ部の間にスラッジがすり抜けないように前記キャタピラに流動性を与える弾性体と、を更に含むことにその特徴がある。
【００１５】
また、本発明による電気浸透脱水機の前記アイドルスプロケット部は、予備脱水が行われるように第２のアイドルスプロケットが前記ドラムと一定間隔に離れるように具備されることにその特徴がある。
【００１６】
そして、本発明による電気浸透脱水機は、最後のアイドルスプロケット側に具備され、前記キャタピラのスラッジを払うブラシ部と、前記ブラシ部の下部に具備され、脱水が完了されたスラッジを集めて排出するスクリューコンベヤ部と、前記ブラシ部の反対側に具備され、前記キャタピラ部に水を噴射して洗浄する洗浄部と、を更に含むことに特徴がある。
【発明の効果】
【００１７】
本発明は正極と負極の間にあるろ布を除去することで正極と負極間の間隔を狭くし、それによって電気を節減し得る効果がある。
【００１８】
そして、ろ布を除去することで通電を妨げていた要素を除去することができ、消耗品としてのろ布を除去することでコストを節減し得る効果がある。
【００１９】
また、予備脱水が行われ、ビニル部などの構成によって流動性スラッジの漏れなく円滑な脱水作業が行われる効果もある。
【００２０】
本発明は添付された図面に示された実施例を参考にして説明されるが、これは例示的なものであり、該当分野の通常の知識を有する者であればこれから多様な変形及び均等な実施例が可能であるということを理解できるはずである。従って、本発明の本当の保護範囲は添付された特許請求の範囲によってのみ決められるべきである。
【図面の簡単な説明】
【００２１】
【図１】本発明による電気浸透脱水機の前面を示す図である。
【図２】本発明による電気浸透脱水機のキャタピラを示す図である。
【図３】本発明による電気浸透脱水機のキャタピラ部を示す図である。
【図４】本発明による電気浸透脱水機のキャタピラ部を示す図である。
【発明を実施するための形態】
【００２２】
以下、本発明の好ましい実施例による正極と負極間の狭い間隔で所要電気が節減されるドラム式電気浸透脱水機を添付した図面に基づいて詳しく説明する。図１は、本発明による電気浸透脱水機の前面を示す図である。そして、図２は本発明による電気浸透脱水機のキャタピラを示す図であり、図３と図４は本発明による電気浸透脱水機のキャタピラ部を示す図である。
【００２３】
図１乃至図４を参照すると、本発明による正極と負極間の狭い間隔で所要電気が節減されるドラム式電気浸透脱水機１００は、スラッジ供給部１０、ドラム２０、キャタピラ部３０及びアイドルスプロケット部（ｉｄｌｅ  ｓｐｒｏｃｋｅ）４０で構成される。
【００２４】
スラッジ供給部１０は、電気浸透脱水機１００の中央上部に具備される。スラッジ供給部１０は回転部１１と２つのローラ１２ａ，１２ｂを含む。スラッジ供給部１０にスラッジが投入されると回転部１１によってスラッジが回転されながら投入され、回転部１１の下部に具備される２つのローラ１２ａ，１２ｂによってスラッジが容易に投入され得る。
【００２５】
ドラム２０は、スラッジ供給部１０の下部に具備される。ドラム２０は軸に沿って回転する円筒状であり、内周面に片方の極性の直流電源が印加される。ドラム２０は投入されたスラッジの脱水を行う。
【００２６】
キャタピラ部３０は、ドラム２０と一定の間隔を置いて無限軌道で運行される。キャタピラ部３０は電源印加部３１、ろ布３２、キャタピラ３３、ビニル部（ｗｅｂ）３４、チェーン３５、プラスチックボルト３６、弾性体３７を含む。電源印加部３１はドラム２０と反対の極性の直流電源が印加される。
【００２７】
ろ布３２は、電源印加部３１の下部に具備される。従来の電気浸透脱水機はろ布が電源印加部の上部、即ち、ドラムとキャタピラの間に具備されており、このような従来のろ布によって正極と負極間の間隔が遠くなり、通電を妨げ、消耗品として代替しなければならない問題点があった。本実施例のろ布３２は電源印加部３１の下部で電源印加部３１と下記キャタピラ３３の間に具備され、それによって正極と負極間の間隔が狭くなり、スラッジの脱水が容易に行われ得る。そして、このようなろ布３２は半永久的に使用され得る。
【００２８】
キャタピラ３３は、ろ布３２の下部に具備される。キャタピラ３３には複数個の穴が開かれ、それによってスラッジの水が通過されるようにする。ビニル部３４は、ろ布３２とキャタピラ３３の間に具備される。ビニル部３４によってキャタピラ３３の間にスラッジがすり抜けないようにすることができる。
【００２９】
チェーン３５は、キャタピラ３３の下部に具備される。チェーン３５と下記アイドルスプロケット部４０によってキャタピラ部３０の運行が行われ得る。プラスチックボルト３６は、電源印加部３１の上部に突出されるようにキャタピラ３３に固定される。プラスチックボルト３６によってドラム２０とキャタピラ部３０の間のショートが防止され得る。
【００３０】
弾性体３７は、各キャタピラ３３の両側に具備される。弾性体３７はドラム２０とキャタピラ部３０の間にスラッジがすり抜けないようにキャタピラ３３に流動性を与える。即ち、キャタピラ部３０が無限軌道で運行される際、弾性体３７によってキャタピラ３３がドラム２０との間の間隔を流動的に動かせることで、スラッジがすり抜けないようにする役割を果たす。
【００３１】
アイドルスプロケット部４０はキャタピラ部３０の間の空間に具備され、チェーン３５と接してキャタピラ部３０を運行させる。アイドルスプロケット部４０は複数個、例えば、６個が具備される。第１アイドルスプロケット４０ａはスラッジ供給部１０の第２ローラ１２ｂの隣に具備される。第１アイドルスプロケット４０ａによって形成されるドラム２０とキャタピラ部３０の間の空間に脱水のためのスラッジが供給される。
【００３２】
第２アイドルスプロケット４０ｂは、ドラム２０とキャタピラ部３０の間に圧力を与えないようにドラム２０から一定間隔離れた状態で具備される。第２アイドルスプロケット４０ｂによって、供給されたスラッジの予備脱水が行われ得る。即ち、圧力を受ける前にスラッジの水分が除去され得る。
【００３３】
ブラシ部５０は、第６アイドルスプロケット４０ｆ側に具備される。ブラシ部５０はキャタピラ部３０のスラッジを払う役割を果たす。キャタピラ部３０のビニル部３４によってスラッジのすり抜けを防止し、溜まっているスラッジをブラシ部５０が払う。
【００３４】
スクリューコンベヤ部６０は、ブラシ部５０の下部に具備される。スクリューコンベヤ部６０は脱水が完了されたスラッジを集めて外部に排出させる。ブラシ部５０によって払われたスラッジ及び脱水が完了されたスラッジは、スクリューコンベヤ部６０を介して排出される。
【００３５】
洗浄部７０は、電気浸透脱水機１００のブラシ部５０の反対側に具備される。洗浄部７０はキャタピラ部３０に水を噴射して洗浄する。洗浄部７０は噴射される水でキャタピラ部３０を洗浄する。
【産業上の利用可能性】
【００３６】
本実施例による正極と負極間の狭い間隔で所要電気が節減されるドラム式電気浸透脱水機は上述された形に限られず、本発明の技術的中心思想を逸脱しない範囲内で多様に変形実施され得る。これは、本発明が属する技術分野に携わる者であれば容易に理解できるはずである。
【図１】
0005909549.tif 000002
【図２】
0005909549.tif 000003
【図３】
0005909549.tif 000004
【図４】
0005909549.tif 000005